(57)【要約】【課題】送信元に煩雑な作業を強いることなく、かつ製造コストの上昇を抑えつつ、記録部が動作不能の状態で受信した重要度の高い画像情報を確実に用紙に記録できるようにする。【解決手段】制御部９は、画像情報の受信時に記録部３が動作不能状態である場合、画像情報の送信元のファックス番号が送信元メモリ６に記憶されている場合には、通信部１が受信した画像情報を重要度の高い画像情報として不揮発性メモリ４Ａに格納する。この時、通信部１の１度の着信時に受信された画像情報の全てが、不揮発性メモリ４Ａのみに格納される。制御部９は、画像情報の送信元のファックス番号が送信元メモリ６に記憶されていない場合には、通信部１が受信した画像情報を重要度の低い画像情報として揮発性メモリ４Ｂに格納する。この時、通信部１の１度の着信時に受信された画像情報の全てが、揮発性メモリ４Ｂのみに格納される。【選択図】図１
2009100212.tif 000002
【特許請求の範囲】
【請求項１】
画像情報を送受信する通信部と、
前記通信部で受信した画像情報を用紙に記録する記録部と、
画像情報を格納する不揮発性メモリ及び揮発性メモリと、
前記記録部の動作不能時に前記通信部が１度の受信処理で受信した画像情報の全てを前記不揮発性メモリ又は前記揮発性メモリの何れか一方のみに格納する制御部であって、画像情報の受信時に受信時情報を取得し、前記受信時情報に基づいて判別した受信中の画像情報の重要度に応じて画像情報の格納先として前記不揮発性メモリ又は前記揮発性メモリの何れか一方を選択する制御部と、
を備えたファクシミリ装置。
【請求項２】
前記受信時情報は、前記通信部が受信する情報を含む請求項１に記載のファクシミリ装置。
【請求項３】
前記受信時情報は、前記通信部での画像情報の受信時に生成される情報を含む請求項１又は２に記載のファクシミリ装置。
【請求項４】
少なくとも１つの送信元情報を記憶する送信元メモリをさらに備え、
前記制御部は、前記通信部が画像情報とともに受信した送信元情報を前記受信時情報として取得し、取得した送信元情報が前記送信元メモリに記憶されているか否かに応じて前記重要度を判別する請求項２に記載のファクシミリ装置。
【請求項５】
現在時刻情報を生成する計時部をさらに備え、
前記制御部は、前記通信部が画像情報を受信した時に前記計時部から現在時刻情報を前記受信時情報として取得し、現在時刻が予め設定された所定の時刻に含まれるか否かに応じて前記重要度を判別する請求項３に記載のファクシミリ装置。
【請求項６】
受信中の画像情報の内容を認識する画像認識部をさらに備え、
前記制御部は、前記通信部が画像情報を受信した時に、受信中の画像情報についての前記画像認識部の認識結果を前記受信時情報として取得し、受信中の画像情報に予め設定された画像が含まれるか否かに応じて前記重要度を判別する請求項３に記載のファクシミリ装置。
【発明の詳細な説明】
【技術分野】
【０００１】
本発明は、公衆電話回線を介して画像情報を送受信し、受信した画像情報を用紙に記録するファクシミリ装置に関し、特に、記録部の動作不能時に受信した画像情報をメモリに格納する代行受信機能を備えたファクシミリ装置に関する。
【背景技術】
【０００２】
ファクシミリ装置は、通信部で受信した画像情報を所定の画像処理を施しつつ記録部に供給して用紙に記録する。用紙切れやインク切れ等の不具合によって記録部が動作不能の状態で通信部に受信された画像情報は、用紙に記録されることなく消失する。
【０００３】
画像情報の消失を防止するため、代行受信機能を備えたファクシミリ装置がある(例えば、特許文献1参照。)。代行受信機能は、記録部の動作不能中に通信部が受信した画像情報を、用紙に記録する代わりにメモリに格納する機能である。メモリに格納された画像情報は、記録部の不具合が解消した後に読み出され、用紙に記録される。
【０００４】
記録部の動作不能中に受信された画像情報の全てをメモリに格納するためには比較的大容量のメモリが必要となり、代行受信機能に不揮発性メモリを用いると製造コストが上昇する。一方、代行受信機能に揮発性メモリを用いると、記録部の不具合が解消する前に停電等によってファクシミリ装置に電源が供給されなくなった場合には、メモリに格納された画像情報が消失し、不具合が解消した後にも画像情報を用紙に記録することができない。
【０００５】
そこで、従来の通信装置として、送信元の情報を記憶する小容量の不揮発性メモリと、受信した画像情報を記憶する大容量の揮発性メモリと、を備えたものがある（例えば、特許文献２参照。）。この通信装置では、画像情報の受信終了後に停電等で揮発性メモリの記憶内容が消失した場合に、不揮発性メモリの記憶内容を参照して送信元に画像情報の再送信を促す情報を送信する。この通信装置の構成を適用することで、記録部が動作不能の状態で受信した画像情報を確実に用紙に記録できるファクシミリ装置を比較的安価に提供することができる。
【特許文献１】特開平０７−１３５５４４号公報
【特許文献２】特開平０７−０３８６９１号公報
【発明の開示】
【発明が解決しようとする課題】
【０００６】
しかしながら、特許文献２に記載された構成を適用したファクシミリ装置では、代行受信機能でメモリに格納した重要度の高い画像情報が停電等によって消失した場合に、送信元に画像情報を再送信するための煩雑な作業を強いることになる。
【０００７】
この発明の目的は、送信元に煩雑な作業を強いることなく、かつ製造コストの上昇を抑えつつ、記録部が動作不能の状態で受信した重要度の高い画像情報を確実に用紙に記録できるファクシミリ装置を提供することにある。
【課題を解決するための手段】
【０００８】
この発明のファクシミリ装置は、通信部、記録部、不揮発性メモリ、揮発性メモリ及び制御部を備えている。通信部は、画像情報を送受信する。記録部は、通信部で受信した画像情報を用紙に記録する。不揮発性メモリ及び揮発性メモリは、画像情報を格納する。制御部は、記録部の動作不能時に通信部が１度の受信処理で受信した画像情報の全てを不揮発性メモリ又は揮発性メモリの何れか一方のみに格納する。制御部は、画像情報の受信時に受信時情報を取得し、受信時情報に基づいて判別した受信中の画像情報の重要度に応じて画像情報の格納先として不揮発性メモリ又は揮発性メモリの何れか一方を選択する。
【０００９】
この構成により、記録部の動作不能時に通信部が１度の受信処理で受信した画像情報の全てが、画像情報の受信時に取得された受信時情報に基づく重要度に応じて、不揮発性メモリ又は揮発性メモリの何れか一方に選択的に格納される。例えば、記録部の動作不能時に、通信部が１度の受信処理で受信した重要度の高い画像情報のみ全てが、不揮発性メモリに格納される。これによって、不揮発性メモリに要求される容量が、記録部の動作不能時に通信部が受信した画像情報の全てを記憶する場合に比較して小さくなる。また、記録部の動作状態が回復する前に停電等を生じた場合でも、重要度の高い画像情報が、送信元からの再送信を受けることなく確実に用紙に記録される。
【００１０】
受信時情報は、通信部が受信する情報を含むものとすることができる。この場合に、少なくとも１つの送信元情報を記憶する送信元メモリをさらに備え、通信部が画像情報とともに受信した送信元情報が送信元メモリに記憶されているか否かに応じて重要度を判別するようにしてもよい。
【００１１】
また、受信時情報は、通信部での画像情報の受信時に生成される情報を含むものとすることもできる。この場合に、現在時刻情報を生成する計時部をさらに備え、通信部が画像情報を受信した時に計時部から取得した現在時刻が予め設定された所定の時刻に含まれるか否かに応じて重要度を判別するようにしてもよい。
【００１２】
上記の構成において、受信中の画像情報の内容を認識する画像認識部をさらに備え、制御部は、通信部が画像情報を受信した時に、受信中の画像情報についての画像認識部の認識結果を受信時情報として取得し、受信中の画像情報に予め設定された画像が含まれるか否かに応じて重要度を判別するようにしてもよい。受信した画像を、その内容から判別した重要度に応じて、不揮発性メモリ又は揮発性メモリの何れか一方に格納することができる。
【発明の効果】
【００１３】
この発明によれは、記録部の動作不能時に、通信部が１度の受信処理で受信した重要度の高い画像情報のみ全てを、不揮発性メモリに格納することで、小容量の不揮発性メモリを使用でき、製造コストの上昇を抑えることができる。また、記録部の動作状態が回復する前に停電等を生じた場合でも、重要度の高い画像情報を、送信元からの再送信を受けることなく確実に用紙に記録することができる。
【発明を実施するための最良の形態】
【００１４】
以下、この発明の最良の実施形態に係るファクシミリ装置を、図面を参照しつつ詳細に説明する。
【００１５】
図１は、この発明の第１の実施形態に係るファクシミリ装置のブロック図である。ファクシミリ装置１０は、通信部１、画像処理部２、記録部３、不揮発性メモリ４Ａ、揮発性メモリ４Ｂ、表示操作部５、送信元メモリ６、原稿搬送部７、用紙搬送部８、制御部９を備えている。
【００１６】
通信部１は、公衆電話回線２０を介して他のファクシミリ装置との間で画像情報の送受信を行う。このため、通信部１は、画像情報の送信時に他のファクシミリ装置に割り当てられているファックス番号に発呼する。
【００１７】
画像処理部２は、通信部１が受信した画像情報に所定の補正処理等を施す。
【００１８】
記録部３は、画像処理部３で処理された画像情報を、インクジェット方式又は電子写真方式等の画像形成処理によって用紙に記録する。
【００１９】
不揮発性メモリ４Ａは、一例としてフラッシュメモリであり、停電等によってファクシミリ装置１０に電源が供給されなくなっても記憶内容を保持する。揮発性メモリ４Ｂは、一例としてＳＤＲＡＭであり、ファクシミリ装置１０に電源が供給されなくなると記憶内容が失われる。不揮発性メモリ４Ａ及び揮発性メモリ４Ｂは、用紙切れ等によって記録部３が動作不能状態である時に通信部１が１度の受信処理で受信した画像情報の全てを記憶する。
【００２０】
表示操作部５は、ディスプレイとともにテンキーやカーソルキー等を備え、図示しない筐体の表面に配置されている。表示操作部５は、画像情報の送受信を行う他のファクシミリ装置に割り当てられているファックス番号の設定操作、及び画像情報の送信開始の指示操作を受け付ける。また、表示操作部５は、画像情報の送受信を行う頻度の高い他のファクシミリ装置を特定する名称をファックス番号とともに記憶させるための入力操作を受け付ける。表示操作部５は、装置の動作状態や操作内容をディスプレイに表示する。
【００２１】
送信元メモリ６は、不揮発性のメモリで構成されており、画像情報の送受信を行う頻度の高い他のファクシミリ装置を特定する名称とファックス番号とを関連付けて記憶する。なお、ファクシミリ装置１０に他のファクシミリ装置のファックス番号に短縮番号を割り当てる機能がある場合には、送信元メモリ６は名称及びファックス番号に短縮番号を付して記憶するものであってもよい。
【００２２】
原稿搬送部７は、撮像素子及び搬送部材を備えている。撮像素子は、一例としてＣＣＤであり、原稿から画像情報を読み取る。搬送部材は、一例として搬送ローラ対であり、原稿トレイに収容されている原稿を１枚ずつ撮像素子の配置位置を経由して排出トレイに搬送する。
【００２３】
用紙搬送部８は、搬送部材を備えている。搬送部材は、一例として給紙ローラ及び搬送ローラ対を含み、用紙トレイに収納されている用紙を１枚ずつ記録部３を経由して排紙トレイに搬送する。
【００２４】
制御部９は、通信部１、画像処理部２、記録部３、不揮発性メモリ４Ａ、揮発性メモリ４Ｂ、表示操作部５、送信元メモリ６、原稿搬送部７及び用紙搬送部８を統括して制御する。制御部９は、画像情報の送信時には、表示操作部５に対する操作内容に応じて通信部１、画像処理部２及び原稿搬送部７を制御し、撮像素子が原稿から読み取った画像情報を表示操作部５の操作によって入力されたファックス番号のファクシミリ装置に送信する。この時、表示操作部５の操作によって短縮番号が入力されると、制御部９は、短縮番号に対応する名称を表示操作部５のディスプレイに表示するとともに、短縮番号に対応するファックス番号を送信元メモリ６から読み出して通信部１に供給する。
【００２５】
制御部９は、画像情報の受信時には、設定内容に応じて通信部１、画像処理部２、記録部３及び用紙搬送部８を制御し、通信部１が受信した画像情報に基づいて記録部３を動作させて用紙搬送部８が搬送する用紙に記録する。
【００２６】
図２は、上記ファクシミリ装置の制御部の処理手順を示すフローチャートである。ファクシミリ装置１０に電源が投入されると、制御部９は、不揮発性メモリ４Ａに画像情報が格納されているか否かの判別を行う（Ｓ１）。不揮発性メモリ４Ａに画像情報が格納されていない場合には、制御部９は、他のファクシミリ装置に対する画像情報の送信処理が指示されたか否かの判別、及び他のファクシミリ装置からの画像情報が着信したか否かの判別を行う（Ｓ２，Ｓ３）。
【００２７】
画像情報の送信が指示された場合、制御部９は、原稿から読み取った画像情報の送信処理を実行する（Ｓ４）。
【００２８】
他のファクシミリ装置からの画像情報が着信した場合、制御部９は、記録部３におけるインクやトナー等の消耗品の有無、及び用紙搬送部８における用紙切れやジャムの発生の有無等により、記録部３の動作状態を確認する（Ｓ５）。
【００２９】
制御部９は、記録部３の消耗品が無くなっている場合、又は用紙切れやジャムを発生している場合には、記録部３が動作不能状態であると判断する。記録部３に消耗品が十分に存在し、用紙搬送部８で用紙切れやジャムが発生していない場合には、制御部９は、記録部３及び用紙搬送部８を駆動して画像記録処理を実行する（Ｓ６）。
【００３０】
制御部９は、記録部３が動作不能状態であると判断した場合、画像情報の送信元のファックス番号が送信元メモリ６に記憶されているか否かを判別する（Ｓ７，Ｓ８）。制御部９は、画像情報の送信元のファックス番号が送信元メモリ６に記憶されている場合には、通信部１が受信した画像情報を重要度の高い画像情報として不揮発性メモリ４Ａに格納する（Ｓ９）。この時、通信部１の１度の着信時に受信された画像情報の全てが、不揮発性メモリ４Ａのみに格納される。
【００３１】
制御部９は、画像情報の送信元のファックス番号が送信元メモリ６に記憶されていない場合には、通信部１が受信した画像情報を重要度の低い画像情報として揮発性メモリ４Ｂに格納する（Ｓ１０）。この時、通信部１の１度の着信時に受信された画像情報の全てが、揮発性メモリ４Ｂのみに格納される。
【００３２】
Ｓ９又はＳ１０の処理の後、制御部９は、記録部３の記録動作が可能な状態になることを待機する（Ｓ１１）。制御部９は、不具合が解消されて記録動作が可能になると、不揮発性メモリ４Ａ又は揮発性メモリ４Ｂに格納されている画像情報に基づいて画像記録処理を行った後に、不揮発性メモリ４Ａ又は揮発性メモリ４Ｂに格納されている画像情報を消去する（Ｓ１２，Ｓ１３）。
【００３３】
Ｓ１の処理で不揮発性メモリ４Ａに画像情報が格納されている場合には、制御部９は、格納されている画像情報に基づいて画像記録処理を行った後に、不揮発性メモリ４Ａに格納されている画像情報を消去する（Ｓ１４，Ｓ１５）。
【００３４】
以上の処理により、ファックス番号が送信元メモリ６に予め格納されているファクシミリ装置から送信された画像情報が、重要度の高い画像情報として不揮発性メモリ４Ａに格納される。重要度の高い画像情報は、不具合が解消される前に停電等によってファクシミリ装置１０に電源が供給されなくなった場合にも保存しておくことができ、次にファクシミリ装置１０に電源が投入された時に不揮発性メモリ４Ａから読み出されて用紙に記録される。
【００３５】
不揮発性メモリ４Ａは、重要度の高い画像情報のみを格納するため、重要度に拘らず記録部３の動作不能時に受信した画像情報を全て不揮発性メモリに格納する場合に比較して容量の小さいメモリを使用することができ、製造コストの上昇を抑えることができる。
【００３６】
また、記録部３の動作不能時に重要度の高い画像情報を受信した後に停電が生じた場合にも、送信元からの再送信を必要とすることなく停電回復後に確実に用紙に記録することができる。
【００３７】
図３は、この発明の第２及び第３の実施形態に係るファクシミリ装置の構成を示す図である。これらの実施形態に係るファクシミリ装置１０′は、図１に示したファクシミリ装置１０に加えて、計時部１１及び設定時刻範囲記憶部１２を備えている。計時部１１は、現在時刻を表す現在時刻情報を生成する。設定時刻範囲記憶部１２は、重要度の高い画像情報が着信される時刻として表示操作部５を介して予め設定された時刻範囲を記憶する。設定時刻範囲記憶部１２は、不揮発性のメモリで構成されている。その他の構成は、ファクシミリ装置１０と同様である。
【００３８】
図４は、この発明の第２の実施形態に係るファクシミリ装置の制御部の処理手順を示すフローチャートである。ファクシミリ装置１０′の制御部９は、図２のフローチャートにおけるＳ７，Ｓ８の処理に代えて、Ｓ２１，Ｓ２２の処理を実行する。
【００３９】
即ち、制御部９は、画像情報の受信時に記録部３が動作不能状態であると判断した場合、受信処理時の現在時刻を読み取り（Ｓ２１）、現在時刻が設定時刻範囲記憶部１２に予め記憶されている設定時刻範囲内であるか否かを判別する（Ｓ２２）。制御部９は、受信処理時の時刻が設定時刻範囲内である場合には、通信部１が受信した画像情報を重要度の高い画像情報として不揮発性メモリ４Ａに格納する（Ｓ９）。この時、通信部１の１度の着信時に受信された画像情報の全てが、不揮発性メモリ４Ａのみに格納される。
【００４０】
制御部９は、受信処理時の時刻が設定時刻範囲内でない場合には、通信部１が受信した画像情報を重要度の低い画像情報として揮発性メモリ４Ｂに格納する（Ｓ１０）。この時、通信部１の１度の着信時に受信された画像情報の全てが、揮発性メモリ４Ｂのみに格納される。
【００４１】
上記の処理により、設定時刻範囲内に受信した画像情報を重要度の高い画像情報として、第１の実施形態と同様の効果を奏することができる。
【００４２】
図５は、この発明の第３の実施形態に係るファクシミリ装置の制御部の処理手順を示すフローチャートである。図３に示した構成のファクシミリ装置１０′において、制御部９は、図２に示したＳ８の処理の後にＳ２１，Ｓ２２の処理を実行する。
【００４３】
即ち、制御部９は、画像情報の受信時に記録部３が動作不能状態であると判断した場合、画像情報の送信元のファックス番号が、送信元メモリ６に記憶されているか否かを判別する（Ｓ７，Ｓ８）。次いで、制御部９は、受信処理時の現在時刻を読み取り（Ｓ２１）、現在時刻が設定時刻範囲記憶部１２に予め記憶されている設定時刻範囲内であるか否かを判別する（Ｓ２２）。
【００４４】
制御部９は、画像情報の送信元のファックス番号が送信元メモリ６に記憶されており、かつ受信処理時の時刻が設定時刻範囲内である場合には、通信部１が受信した画像情報を重要度の高い画像情報として不揮発性メモリ４Ａに格納する（Ｓ９）。この時、通信部１の１度の着信時に受信された画像情報の全てが、不揮発性メモリ４Ａのみに格納される。
【００４５】
制御部９は、画像情報の送信元のファックス番号が送信元メモリ６に記憶されていない場合、又は受信処理時の時刻が設定時刻範囲内でない場合には、通信部１が受信した画像情報を重要度の低い画像情報として揮発性メモリ４Ｂに格納する（Ｓ１０）。この時、通信部１の１度の着信時に受信された画像情報の全てが、揮発性メモリ４Ｂのみに格納される。
【００４６】
上記の処理により、送信元のファックス番号が送信元メモリ６に記憶されており、かつ設定時刻範囲内に受信した画像情報を重要度の高い画像情報として、第１の実施形態と同様の効果を奏することができる。
【００４７】
図６は、この発明の第４の実施形態に係るファクシミリ装置のブロック図である。この実施形態に係るファクシミリ装置１０″は、図１に示したファクシミリ装置１０に加えて、画像認識部２１を備えている。画像認識部２１は、画像情報の受信時に通信部１が有する図示しないバッファが保持する所定量の画像情報の内容を順次認識する。その他の構成は、ファクシミリ装置１０と同様である。
【００４８】
図７は、この発明の第４の実施形態に係るファクシミリ装置の制御部の処理手順を示すフローチャートである。ファクシミリ装置１０″の制御部９は、図２のフローチャートにおけるＳ７，Ｓ８の処理に代えて、Ｓ３１，Ｓ３２の処理を実行する。
【００４９】
即ち、制御部９は、画像情報の受信時に記録部３が動作不能状態であると判断した場合、画像認識部２１による画像情報の認識結果に、予め設定された所定の画像が含まれるか否かを判別する（Ｓ３１，Ｓ３２）。所定の画像とは、例えば「極秘」等の画像情報の重要性を示す画像であり、ユーザが表示操作部５の操作を介して任意に設定される。制御部９は、受信中の画像情報に所定の画像が含まれる場合には、通信部１が受信した画像情報を重要度の高い画像情報として不揮発性メモリ４Ａに格納する（Ｓ９）。この時、通信部１の１度の着信時に受信された画像情報の全てが、不揮発性メモリ４Ａのみに格納される。
【００５０】
制御部９は、受信中の画像情報に所定の画像が含まれない場合には、通信部１が受信した画像情報を重要度の低い画像情報として揮発性メモリ４Ｂに格納する（Ｓ１０）。この時、通信部１の１度の着信時に受信された画像情報の全てが、揮発性メモリ４Ｂのみに格納される。
【００５１】
上記の処理により、所定の画像を含む画像情報を重要度の高い画像情報として、第１の実施形態と同様の効果を奏することができる。
【００５２】
なお、Ｓ４１，Ｓ４２の処理は、Ｓ７，Ｓ８の処理、及び／又はＳ２１，Ｓ２２の処理とともに行うこともできる。
【００５３】
第１〜第４の実施形態では、画像情報の受信時に取得する受信時情報として、通信部１が受信する送信元情報であるファックス番号、及び／又はファックス装置１０′，１０″で生成される受信時刻情報である現在時刻情報を用いているが、受信時情報はこれに限定されるものではない。
【００５４】
例えば、送信元からの画像情報の送信時刻を表す情報、装置の近傍にユーザが存在しているか否かについての情報、及び画像情報の解像度に関する情報等、不揮発性メモリ４Ａに格納すべき画像情報と揮発性メモリ４Ｂに格納すべき画像情報との峻別に用いることのできる種々の情報を受信時情報とすることができる。
【００５５】
画像情報の解像度に関する情報は、画像情報とともに送信元のファクシミリ装置から送信される。制御部９は、例えば、解像度が低い画像情報を重要度も低いと判断して揮発性メモリ４Ｂに格納し、解像度が高い画像情報を重要度も高いと判断して不揮発性メモリ４Ａに格納する。
【００５６】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００５７】
【図１】この発明の第１の実施形態に係るファクシミリ装置のブロック図である。
【図２】この発明の第１の実施形態に係るファクシミリ装置の制御部の処理手順を示すフローチャートである。
【図３】この発明の第２及び第３の実施形態に係るファクシミリ装置のブロック図である。
【図４】この発明の第２の実施形態に係るファクシミリ装置の制御部の処理手順を示すフローチャートである。
【図５】この発明の第３の実施形態に係るファクシミリ装置の制御部の処理手順を示すフローチャートである。
【図６】この発明の第４の実施形態に係るファクシミリ装置のブロック図である。
【図７】この発明の第４の実施形態に係るファクシミリ装置の制御部の処理手順を示すフローチャートである。
【符号の説明】
【００５８】
１−通信部
３−記録部
４Ａ−不揮発性メモリ
４Ｂ−揮発性メモリ
５−表示操作部
６−送信元メモリ
９−制御部
１０−ファクシミリ装置
【図１】
2009100212.tif 000003
【図２】
2009100212.tif 000004
【図３】
2009100212.tif 000005
【図４】
2009100212.tif 000006
【図５】
2009100212.tif 000007
【図６】
2009100212.tif 000008
【図７】
2009100212.tif 000009